(57)【特許請求の範囲】
【請求項１】
吸収体と、前記吸収体の肌側を覆う透液性のトップシートと、前記吸収体の非肌側を覆う透液性の第１バックシートと、前記第１バックシートの非肌側を覆う不透液性の第２バックシートとを備え、
前記第１バックシートの非肌側面に粘着剤層が形成されるとともに、この粘着剤層に前記第２バックシートが剥離可能に貼着され、かつ前記トップシート及び第１バックシートの両側部において、前記第２バックシートが前記トップシート及び第１バックシートの両側縁を回り込んで前記トップシートの肌側まで延在して配設されるとともに、この肌側に延在した前記第２バックシートから連続的に設けられたシート材によって、肌側面の両側部で肌側に突出する立体ギャザーが形成され、前記立体ギャザーを形成するシート材は、少なくとも長手方向の両端部が前記トップシートの肌側面に取り外し可能な状態で接合されており、
非肌側が前記第２バックシートで覆われるとともに、肌側面の両側部に前記立体ギャザーが形成された状態で、アウターの内面に装着して使用する簡易交換用としての使用態様と、前記第２バックシートを取り除くとともに前記立体ギャザーも取り除いて、前記粘着剤層を露出させた状態で、アウターの内面に前記粘着剤層を貼着して使用する補助吸収用としての使用態様とが選択可能となっていることを特徴とする吸収性物品。
【請求項２】
前記吸収体の側縁部を越えて側方に延在する前記トップシートと前記第１バックシートとにより前記吸収体の存在しないサイドフラップ部が形成されるとともに、このサイドフラップ部の長手方向中間部に長手方向に沿って弾性伸縮部材を配設した平面ギャザーが形成されている請求項１記載の吸収性物品。
【請求項３】
前記立体ギャザーは、前記第２バックシートによって形成されるか、前記第２バックシートの端部に接合されたギャザー不織布によって形成されている請求項１、２いずれかに記載の吸収性物品。
【発明の詳細な説明】
【技術分野】
【０００１】
本発明は、使い捨ておむつ、失禁パンツ、おむつカバーなどのアウターの内面に装着して使用される尿取りパッド、失禁パッドなどの吸収性物品に係り、詳しくは非肌側が不透液性とされた簡易交換用としての使用態様と、非肌側が透液性とされた補助吸収用としての使用態様とを選択可能とした吸収性物品に関する。
【背景技術】
【０００２】
従来より、使い捨ておむつなどのアウターの内面に装着して使用される尿取りパッドなどのインナーパッドとして、前記簡易交換用としての使用態様と、前記補助吸収用としての使用態様の２通りがあることが知られている。前記簡易交換用としての使用態様では、頻繁に使い捨ておむつを交換する手間を軽減するとともに、おむつの購入費用を削減することなどを目的として、尿を吸収したインナーパッドのみを交換して使い捨ておむつを繰り返し使用できるように、吸収体に吸収された尿のアウター側への漏れを防止するため、インナーパッドの非肌側が不透液性のシート材で覆われている。この簡易交換用のインナーパッドは、昼間などパッドを頻繁に交換できるときに主に使用されている。
【０００３】
一方、前記補助吸収用としての使用態様では、使い捨ておむつなどのアウターの吸収能力を増大させることなどを目的として、使い捨ておむつの内面に積層して使用し、吸収体に吸収された尿が速やかに使い捨ておむつの吸収体に移行するように、インナーパッドの非肌側が透液性のシート材で覆われている。この補助吸収用のインナーパッドは、就寝時などパッドを長時間に亘って交換できないときに主に使用されている。
【０００４】
このように、前記簡易交換用としての使用態様ではアウターに尿が溢れ出ないことが要求される一方で、前記補助吸収用としての使用態様ではインナーパッド及びアウターの各吸収体の吸収性能を有効に活用するため、インナーパッドからアウター側に尿がスムーズに移行することが要求されている。このように、簡易交換用としての使用態様と補助吸収用としての使用態様とでは、相反する性能が要求されることとなる。
【０００５】
従来のインナーパッドでは、非肌側のシート材を不透液性とするか透液性とするかによって、何れか一方の機能を備えることしかできなかったため、使用者は各機能に応じたパッドを２種類用意しておかなければならなかった。
【０００６】
ところが近年では、このようなパッドにも幾多の改良が重ねられ、１つのパッドで簡易交換用としての使用態様と、補助吸収用としての使用態様とを選択可能としたものが提案されている。例えば、下記特許文献１では、内面側に液透過性のトップシートが、内部に前記トップシートを通過した液を吸収する吸収コアが、外面側に液不透過性のバックシートが設けられ、前記バックシートには、前記吸収コアを透過した液を通過させる開口部が形成されている吸収性物品が開示されている。
【０００７】
また、下記特許文献２では、内面側に液透過性のトップシートが、内部に前記トップシートを透過した液を吸収する吸収コアが設けられ、外面側に液透過性の外面シートが設けられて、前記吸収コアを通過した液を透過させる液透過領域が形成されており、前記外面側のほぼ全域を覆う液不透過性のバックシートが、前記外面シートに剥離可能に接合されている尿取りパッドが開示されている。
【先行技術文献】
【特許文献】
【０００８】
【特許文献１】特許第３７５６０００号公報
【特許文献２】特許第３５１９２６７号公報
【発明の概要】
【発明が解決しようとする課題】
【０００９】
上記特許文献１に記載の吸収性物品では、開口部が形成されたバックシートの外側に、前記開口部を塞ぐための被覆シートが粘着剤層を介して接着されているが、簡易交換用としての使用態様においては、被覆シートの接着不良などにより、吸収体に吸収された尿が開口部を通じてアウターの使い捨ておむつ側に浸出するおそれがあった。また、バックシートの開口部を塞ぐための被覆シートが余分に必要となり、資材コストや製造コストが嵩む要因となっていた。更に、前記被覆シートを取り除いてバックシートの開口部を開口させた補助吸収用としての使用態様において、インナーパッドからアウターへの尿の移行が前記開口部を通じてしか行われないため、尿がスムーズに移行できない欠点があった。
【００１０】
また、上記特許文献２に記載の吸収性物品では、前記バックシートが粘着層及び接着層で外面シートの外面に接合され、前記接着層は、バックシートと外面シートとの間で所定の接着力を発揮でき、またバックシートを手の力で剥がすことができる程度の接着力を有するものであり、しかもバックシートを剥がしたときにほとんど粘着力を呈しないものとされているが、前記接着層の接着力が強すぎると、バックシートを取り外して使用する補助吸収用の使用態様においてバックシートを剥がす作業がしにくくなり、逆に弱すぎると、バックシートを付けたまま使用する簡易吸収用の使用態様において、使用中にバックシートが剥がれたり、この剥がれた箇所から尿が漏れ出たりするおそれがあった。
【００１１】
更に、上記特許文献１、２に記載の吸収性物品では、両側のフラップ部に平面的なギャザーが形成されるものの、肌当接面の両側部に肌側に起立した立体ギャザーが設けられていないため、特に簡易吸収用としての使用態様において表面を幅方向両側に伝う体液が両側部からアウターに漏れるおそれがあった。
【００１２】
そこで本発明の主たる課題は、簡易交換用としての使用態様においてアウターへの尿の漏れを防止するとともに、補助吸収用としての使用態様においてアウターに尿がスムーズに移行できるようにした吸収性物品を提供することにある。
【課題を解決するための手段】
【００１３】
上記課題を解決するために請求項１に係る本発明として、吸収体と、前記吸収体の肌側を覆う透液性のトップシートと、前記吸収体の非肌側を覆う透液性の第１バックシートと、前記第１バックシートの非肌側を覆う不透液性の第２バックシートとを備え、
前記第１バックシートの非肌側面に粘着剤層が形成されるとともに、この粘着剤層に前記第２バックシートが剥離可能に貼着され、かつ前記トップシート及び第１バックシートの両側部において、前記第２バックシートが前記トップシート及び第１バックシートの両側縁を回り込んで前記トップシートの肌側まで延在して配設されるとともに、この肌側に延在した前記第２バックシートから連続的に設けられたシート材によって、肌側面の両側部で肌側に突出する立体ギャザーが形成され、前記立体ギャザーを形成するシート材は、少なくとも長手方向の両端部が前記トップシートの肌側面に取り外し可能な状態で接合されており、
非肌側が前記第２バックシートで覆われるとともに、肌側面の両側部に前記立体ギャザーが形成された状態で、アウターの内面に装着して使用する簡易交換用としての使用態様と、前記第２バックシートを取り除くとともに前記立体ギャザーも取り除いて、前記粘着剤層を露出させた状態で、アウターの内面に前記粘着剤層を貼着して使用する補助吸収用としての使用態様とが選択可能となっていることを特徴とする吸収性物品が提供される。
【００１４】
上記請求項１記載の発明では、非肌側が前記不透液性の第２バックシートで覆われるとともに、肌側面の両側部で肌側に突出する立体ギャザーが形成された状態で、使い捨ておむつなどのアウターの内面に装着して使用する簡易交換用としての使用態様と、前記第２バックシートを取り除くとともに前記立体ギャザーも取り除いて、前記第１バックシートの非肌側面に形成された粘着剤層を露出させた状態で、前記アウターの内面に前記粘着剤層を貼着して使用する補助吸収用としての使用態様とが選択可能となっている。
【００１５】
前記簡易交換用としての使用態様においては、前記立体ギャザーによって尿が堰き止められるため、両側からのアウターへの尿漏れが確実に防止できるようになる。また、前記トップシート及び第１バックシートの両側部において、前記第２バックシートが前記トップシート及び第１バックシートの両側縁を回り込んでトップシートの肌側まで延在して配設されているため、この両側縁からの尿の漏れがなくなり、アウターに尿が浸出するのが防止できるようになる。
【００１６】
一方、前記補助吸収用としての使用態様においては、前記立体ギャザーを含めた第２バックシートを取り除く際、前記第２バックシートが前記粘着剤層を剥離可能に覆っているため、第２バックシートを容易に取り除くことができるとともに、不透液性の第２バックシートが完全に取り除かれ、非肌側の全面が透液性の第１バックシートによって覆われるため、アウターに尿がスムーズに移行できるようになる。
【００１７】
前記粘着剤層を形成する範囲としては、前記第１バックシートの液透過機能を損なわない程度の範囲とし、具体的には、第１バックシートの面積の５０％以下、好ましくは１０〜４０％程度で形成するのがよい。また、前記粘着剤層は、吸収性物品の長手方向に沿って幅２〜３０ｍｍのものが幅方向にほぼ等間隔に複数本に亘って設けられたストライプ状に配置されるとともに、前後端部に、吸収性物品の幅方向に沿って幅２〜３０ｍｍのものが１本ずつ配置されている。前記粘着剤層の目付は、１５〜３０ｇ／ｍ２であるのが望ましい。
【００１８】
なお、前記立体ギャザーの高さは、装着した際にアウターのテープやパンツの立体ギャザーよりも低い方が良く、特に１０〜４０ｍｍであることが望ましい。また、この立体ギャザーに配設される弾性伸縮部材のテンションについては、１００〜３００％（自然状態を０％として、この状態からの伸び率が２倍〜４倍）であるのが望ましい。
【００１９】
また、上記請求項１記載の発明においては、肌側に突出する立体ギャザーを形成するには、この立体ギャザーを形成するシート材の長手方向両端部をトップシート側に接合しなければならないところ、この接合部として機械的接合手段又は手で剥がすことが可能な程度の接着力を有する粘着接合手段などのような取り外し可能な状態で前記トップシートに接合可能なものを用いている。従って、補助吸収用としての使用態様において、前記立体ギャザーを含めた第２バックシートを簡単に取り外しできるようになる。
【００２０】
請求項２に係る本発明として、前記吸収体の側縁部を越えて側方に延在する前記トップシートと前記第１バックシートとにより前記吸収体の存在しないサイドフラップ部が形成されるとともに、このサイドフラップ部の長手方向中間部に長手方向に沿って弾性伸縮部材を配設した平面ギャザーが形成されている請求項１記載の吸収性物品が提供される。
【００２１】
上記請求項２記載の発明では、前記サイドフラップ部に平面ギャザーを形成しているため、脚周りのフィット性が良好になり漏れが防止できるとともに、前記平面ギャザーをトップシートと第１バックシートとの積層部分によって形成しているため、前記簡易交換用としての使用態様と補助吸収用としての使用態様の両方において平面ギャザーとしての機能が発揮できるようにしている。
【００２２】
請求項３に係る本発明として、前記立体ギャザーは、前記第２バックシートによって形成されるか、前記第２バックシートの端部に接合されたギャザー不織布によって形成されている請求項１、２いずれかに記載の吸収性物品が提供される。
【００２３】
上記請求項３記載の発明では、肌側に延在させた第２バックシートによって前記立体ギャザーを形成してもよいし、第２バックシートの先端に接合した別体のギャザー不織布によって形成してもよいことを規定している。前記立体ギャザーを第２バックシートによって形成した場合には、立体ギャザーにおける不透液性が確保できるし、ギャザー不織布によって形成した場合には、任意の特性を有するギャザー不織布を用いることによって吸水性を有したり、肌当たりを柔軟にしたりすることなどが可能となる。
【発明の効果】
【００２４】
以上詳説のとおり本発明によれば、簡易交換用としての使用態様においてアウターへの尿の漏れが防止できるとともに、補助吸収用としての使用態様においてアウターに尿がスムーズに移行できるようになる。
【図面の簡単な説明】
【００２５】
【図１】インナーパッド１の使用状態（アウター３０への装着状態）を示す展開図である。
【図２】図１のII−II線矢視図である。
【図３】本発明に係るインナーパッド１の一部破断展開図（簡易吸収用としての使用態様）である。
【図４】図３のIV−IV線矢視図である。
【図５】図３のV−V線矢視図である。
【図６】補助吸収用としての使用態様を示す一部破断展開図である。
【図７】図６の裏面図である。
【図８】図６のVIII−VIII線矢視図である。
【図９】他の形態例に係るインナーパッド１を示す、(A)は平面図、(B)は(A)のB−B線矢視図である。
【図１０】他の形態例に係るインナーパッド１の平面図である。
【図１１】図１０のXI−XI線矢視図である。
【図１２】他の形態例に係るインナーパッド１の断面図である。
【発明を実施するための形態】
【００２６】
以下、本発明の実施の形態について図面を参照しながら詳述する。なお、本発明における「長手方向」とは、インナーパッド１の前側と後側を結ぶ方向を意味し、「幅方向」とは長手方向と直交する方向（インナーパッド１の展開時の左右方向）を意味する。
【００２７】
本発明に係るインナーパッド１は、図１及び図２に示されるように、使い捨ておむつ、失禁パンツ、おむつカバーなどのアウター３０の内面に装着して使用されるものであり、具体的には尿取りパッドや失禁パッドなどとして知られるものである。
【００２８】
前記アウター３０（使い捨ておむつ）は、図１及び図２に示されるように、不織布などからなる透液性トップシート３１と、バックシート３２との間に、綿状パルプ等からなる吸収体３３を介在させた構造から成る。より具体的には、有孔または無孔の不織布や孔開きプラスチックシート等からなり使用面側を覆う透液性トップシート３１と、不織布からなりおむつの外面側を覆うとともに、おむつ両側部では後述のギャザーシート３５とともにサイドフラップ部を構成するバックシート３２と、前記透液性トップシート３１とバックシート３２との間に介在された、綿状パルプ等からなる、たとえば砂時計形状（または長方形状等）のある程度の剛性を有する吸収体３３と、前記吸収体３３とバックシート３２との間に少なくとも吸収体３３の全面積を覆うように配設されたポリエチレン等からなる防水フィルム３４と、アウター３０の両側部に肌側に起立する立体ギャザー３６、３６を形成するとともに、おむつ両側部では前記バックシート３２とともにサイドフラップ部を構成するためのギャザーシート３５とから主に構成されている。なお、前記吸収体３３は、形状保持と透液性トップシート３１を透過した体液の拡散性向上のためにクレープ紙や不織布等からなる被包シートによって囲繞されているのが好ましい。
【００２９】
前記インナーパッド１は、図３及び図４に示されるように、綿状パルプ等からなり、たとえば長方形状のある程度の剛性を有するとともに、必要に応じてクレープ紙や不織布等からなる被包シートによって囲繞された吸収体２と、前記吸収体２の肌側（表面側）を覆うように配設された有孔または無孔の不織布や孔開きプラスチックシート等からなる透液性のトップシート３と、前記吸収体２の非肌側（裏面側）を覆うように配設された有孔または無孔の不織布や孔開きプラスチックシート等からなる透液性の第１バックシート４と、前記第１バックシート４の非肌側を覆うように配設されたポリエチレン等からなる不透液性の第２バックシート５とから主に構成されている。また、前記吸収体２の周囲において、その吸収体２の外縁よりも外側に延出しているトップシート３と第１バックシート４とがホットメルトなどの接着剤やヒートシール、超音波シール等の接合手段によって接合され、外周に吸収体２の存在しない外周フラップ部が形成されている。
【００３０】
前記インナーパッド１は、アウター３０の前側領域から後側領域に亘る製品長とされるとともに、アウター３０の立体ギャザー３６、３６間に配置可能であって、アウター３０の吸収体３３より小さな寸法幅で形成されている。
【００３１】
前記吸収体２は、図示例では平面形状を略長方形状として成形されたものが使用されている。この吸収体２は、形状保持とトップシート３を透過した体液の拡散性向上のために前記被包シートによって被包されているのが好ましい。
【００３２】
前記吸収体２の肌側（上層側）を覆う透液性のトップシート３としては、液を透過する性質を有し、例えば、有孔または無孔の不織布や多孔性プラスチックシートなどが好適に用いられる。不織布を構成する素材繊維は特に限定されない。例えば、ポリエチレンまたはポリプロピレン等のオレフィン系、ポリエステル系、ポリアミド系等の合成繊維の他、レーヨンやキュプラ等の再生繊維、綿等の天然繊維などや、これらから二種以上が使用された混合繊維、複合繊維などを例示することができ、スパンレース法、スパンボンド法、サーマルボンド法、メルトブローン法、ニードルパンチ法、エアスルー法、ポイントボンド法等の適宜の加工法によって得られた不織布を用いることができる。これらの加工法の内、スパンレース法は柔軟性、スパンボンド法はドレープ性に富む点で優れ、サーマルボンド法、ポイントボンド法及びエアスルー法は嵩高で圧縮復元性（＝ソフト性）が高い点で優れている。また、トップシート３は、１枚のシートから成るものであっても、２枚以上のシートを貼り合わせて得た積層シートから成るものであってもよい。透液性トップシート３に多数の透孔を形成した場合には、尿などが速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維等の複合繊維を好適に用いることもできる。
【００３３】
前記吸収体２の非肌側（下層側）を覆う透液性の第１バックシート４は、上記透液性のトップシート３と同様に、有孔または無孔の不織布や多孔性プラスチックシートなどが好適に用いられる。
【００３４】
前記第１バックシート４の非肌側（下層側）を覆う第２バックシート５は、特に限定されるものではないが、例えば、ポリエチレンまたはポリプロピレンなどのオレフィン系樹脂からなるプラスチックフィルムや不織布の表面にプラスチックフィルムを設けたラミネート不織布、プラスチックフィルムに不織布等を重ねて接合した積層シートなどを例示することができるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。この他にも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも用いることができる。
【００３５】
前記第１バックシート４の非肌側面に適宜の塗布パターンによって粘着剤層６が形成されるとともに、この粘着剤層６に前記第２バックシート５が剥離可能に貼着されている。前記粘着剤層６は、後述する簡易交換用としての使用態様においては前記第２バックシート５に貼着するとともに、補助吸収用としての使用態様においてはアウター３０の表面に接着してアウター３０に対する位置ずれを防止している。
【００３６】
前記粘着剤層６を形成する範囲としては、前記第１バックシート４の液透過機能を損なわない程度の範囲とし、具体的には、第１バックシート４の面積の５０％以下、好ましくは１０〜４０％程度で形成するのがよい。また、前記粘着剤層６は、インナーパッド１の長手方向に沿って幅２〜３０ｍｍで形成されたものが幅方向にほぼ等間隔に複数本に亘って設けられたストライプ状に配置されるとともに、前後端部にそれぞれ、インナーパッド１の幅方向に沿って幅２〜３０ｍｍで形成されたものが１本ずつ配置されている。前記粘着剤層６の目付は、１５〜３０ｇ／ｍ２であるのが望ましい。
【００３７】
前記粘着剤層６を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００３８】
前記第２バックシート５は、少なくとも前記粘着剤層６に対する当接面に対し、例えばシリコーン系樹脂、フッ素系樹脂、または四フッ化エチレン系樹脂などの離型処理液を塗工するかスプレー塗布し離型処理したプラスチックシートなどを用いるのが好ましい。なお、特別に離型処理を施さなくても、実質的に粘着力の低下を招かないものであれば、フィルムそのものであっても、不織布そのものであっても良い。
【００３９】
図示しないが、後述する簡易交換用としての使用態様においてアウター３０とのズレ止めを図るため、前記第２バックシート５の外面（非肌面）にも適宜のパターンでズレ止め用の粘着剤層が形成され、個装状態でこの粘着剤層が剥離材によって剥離可能に覆われている。
【００４０】
本インナーパッド１では、図４に示されるように、前記トップシート３及び第１バックシート４の両側部において、前記第２バックシート５がトップシート３及び第１バックシート４の両側縁を回り込んでトップシート３の肌側まで延在して配設されるとともに、この肌側に延在した前記第２バックシート５から連続的に設けられたシート材によって、肌側面の両側部で肌側に突出する立体ギャザーＢＳ、ＢＳが形成されている。図４に示される例では、トップシート３の肌側まで延在した第２バックシート５の内方側端部がほぼ二重に折り返されるとともに、この二重シート内部に、両端または長手方向の適宜の位置が固定された１本又は複数本の、図示例では１本の糸状弾性伸縮部材７が配設され、かつこのトップシート３の肌側まで延在した第２バックシート５の前後端部が、図３及び図５に示されるように、トップシート３の肌側面（上面）に対して手で容易に取り外し可能な状態で接合された簡易取り外し式接合手段８によってトップシート３に接合されることによって、長手方向中間部がインナーパッド１の側縁部を起立基端として内側に開口を向けたポケットＰ、Ｐを形成しながら肌側に起立する立体ギャザーＢＳ、ＢＳが形成されている。前記立体ギャザーＢＳ、ＢＳが形成された状態でアウター３０に装着することにより、図２に示されるように、アウター３０の立体ギャザー３６、３６とともに二重のギャザーが設けられるようになる。
【００４１】
前記立体ギャザーＢＳの高さは、装着した際にアウターのテープやパンツの立体ギャザーよりも低い方が良く、特に、インナーパッド１の自然状態で、トップシート３の表面の垂線に対してトップシート３の表面から立体ギャザーＢＳ先端までの長さによって規定される立体ギャザーＢＳの高さが１０〜４０ｍｍであることが望ましい。また、前記糸状弾性伸縮部材７のテンションは、１００〜３００％（自然状態を０％として、この状態からの伸び率が２倍〜４倍）であるのが望ましい。
【００４２】
以上の構成からなる本インナーパッド１では、図３及び図４に示されるように、非肌側が不透液性の第２バックシート５で覆われた状態で、アウター３０の内面に装着して使用する簡易交換用としての使用態様と、図６〜図８に示されるように、前記第２バックシート５を取り除くとともに前記立体ギャザーＢＳも取り除いて、前記第１バックシート４の非肌側面に形成された粘着剤層６を露出させた状態で、前記粘着剤層６をアウター３０の内面に貼着して使用する補助吸収用としての使用態様とが選択可能となっている。
【００４３】
前記簡易交換用としての使用態様においては、前記立体ギャザーＢＳによって尿が堰き止められるため、両側からアウター３０への尿漏れが確実に防止できるようになる。また、インナーパッド１の非肌側が不透液性の第２バックシート５によって完全に覆われるとともに、トップシート３及び第１バックシート４の両側部において、第２バックシート５が前記トップシート３及び第１バックシート４の両側縁を回り込んでトップシート３の肌側まで延在して配設されているため、非肌側面及び両側縁からの尿の漏れがなくなり、アウター３０に尿が浸出するのが防止できるようになる。従って、アウター３０を汚さずに済むため、インナーパッド１を交換するだけでアウター３０を繰り返し使用できるようになる。
【００４４】
また、前記補助吸収用としての使用態様においては、前記立体ギャザーＢＳを含めた第２バックシート５を取り除く際、トップシート３の肌側まで延在した第２バックシート５の前後端部が前記簡易取り外し式接合手段８によってトップシート３に接合されるとともに、前記第２バックシート５が前記粘着剤層６を剥離可能に覆っているため、第２バックシート５を容易に取り除くことができるとともに、不透液性の第２バックシートが完全に取り除かれるため、非肌側の全面が透液性の第１バックシート４のみによって覆われ、アウター３０への尿の移行がスムーズに行われ、インナーパッド１とアウター３０が備える各吸収体の吸収性能を有効に活用できるようになる。
【００４５】
さらに、本インナーパッド１では、第２バックシート５に開口などが形成されていないため、この開口を塞ぐシート材を別途設ける必要が無く、資材コスト及び製造コストの上昇を抑えることができるようになる。
【００４６】
前記インナーパッド１の構造について更に詳細に説明すると、前記簡易取り外し式接合手段８は、トップシート３に対して装着中の身体の動きなどによってずれたり外れたりすることはないけれども、補助吸収用として使用する際、第２バックシート５を取り除くのに手で容易に剥がすことができる程度の接合力を有するものであり、例えば、フック要素を備えた機械的接合手段（ファスニングテープ）や、手で剥がすことが可能な程度の接着力を有し、かつ剥がした後にトップシート３側にほとんど粘着力が残らない粘着接合手段とすることが可能である。
【００４７】
前記簡易取り外し式接合手段８は、図３に示される例では、肌側に延在させた第２バックシート５の前後端部のみに設けられているが、図９に示されるように、立体ギャザーＢＳの起立を損なわない範囲で、長手方向中間部の概ね吸収体２の側縁位置からトップシート３の側端までの領域に長手方向に沿って設けるようにしても構わない。この場合、立体ギャザーＢＳが吸収体２の側縁位置を起立基端として肌側に突出するようになる。
【００４８】
また、本インナーパッド１の他の形態例として、図１０及び図１１に示されるように、吸収体２の側縁部を越えて側方に延在するトップシート３と第１バックシート４とにより吸収体２の存在しないサイドフラップ部９、９が形成されるとともに、このサイドフラップ部９の長手方向中間部に長手方向に沿って１本又は複数本の、図示例では２本の糸状弾性伸縮部材１０、１０を配設して平面ギャザーＨＳ、ＨＳを形成することができる。このようにサイドフラップ部９に平面ギャザーＨＳを形成することによって、脚周りのフィット性が良好になり漏れが防止できるとともに、前記平面ギャザーＨＳをトップシート３と第１バックシート４との積層部分に形成することによって、前記サイドフラップ部９が第２バックシート５によって覆われた状態で使用する簡易交換用としての使用態様と、前記第２バックシート５を取り除いた状態で使用する補助吸収用としての使用態様とのいずれにおいても、平面ギャザーＨＳとしての機能が発揮できるようになる。なお、前記平面ギャザーＨＳを形成したインナーパッド１は、図１に示されるような立体ギャザー３６が形成されたアウター３０より、むしろこのような立体ギャザーが備えられないアウターに装着する場合の方が有効である。
【００４９】
前記平面ギャザーＨＳは、インナーパッド１の長手方向の中間部、特に立体ギャザーＢＳが形成される長手範囲内、すなわち前後端部に設けられた簡易取り外し式接合手段８、８の間に形成するのが好ましい。これにより、平面ギャザーＨＳが股間部の脚周りにフィットしやすくなる。
【００５０】
前記第２バックシート５は、前記平面ギャザーＨＳにおいて、前記簡易取り外し式接合手段８と同様の手段によって、前記トップシート３及び第１バックシート４の両方又はいずれか一方に接合してもよいし、接合しなくてもよい。どちらかというと、接合しない方がギャザーとしての機能が発揮しやすいので好ましい。
【００５１】
前記粘着剤層６は、図７に示されるように、第１バックシート４の液透過機能を損なわない程度の範囲に塗布されている。具体的には、第１バックシート４の面積の５０％以下、好ましくは１０％〜４０％程度の面積で形成するのがよい。
【００５２】
また、前記粘着剤層６は、吸収体２のほぼ周縁に沿って連続する周縁粘着剤層６Ａを有するように形成するのが好ましい。前記周縁粘着剤層６Ａを設けることによって、簡易交換用としての使用態様において、第１バックシート４と第２バックシート５との間を尿が拡散して外部に漏れるのが防止できるようになる。図７に示される例では、前後端部にそれぞれ幅方向に沿う粘着剤層６、６が設けられるとともに、前後端部がこれらの粘着剤層６、６に接続するように長手方向に沿う５本の粘着剤層６、６…が幅方向にほぼ等間隔に配列されている。サイドフラップ部９に前記平面ギャザーＨＳを形成する場合、長手方向に沿う粘着剤層６、６…は、平面ギャザーの機能を損なわないように、吸収体２が介在する本体部分に配置し、サイドフラップ部９には配置しないのが好ましい。一方、前後端部の幅方向に沿う粘着剤層６、６は、サイドフラップ部９の前後端部のめくれなどを防止するため、左右端縁まで連続して配置するのが好ましい。
【００５３】
前記立体ギャザーＢＳは、上述の通り、図４に示されるように、肌側に延在させた第２バックシート５によって形成することができるし、図１２示されるように、肌側に延在させた第２バックシート５の端部に別体のギャザー不織布１１を接合し、このギャザー不織布１１によって形成することもできる。前記立体ギャザーＢＳを第２バックシート５によって形成した場合には、立体ギャザーＢＳにおける不透液性が確保できるし、別体のギャザー不織布１１によって形成した場合には、任意の特性を有する前記ギャザー不織布１１を用いることによって、吸水性を有したり、肌当たりを柔軟にしたりすることなどが可能となる。また、図示しないが、第２バックシート５を立体ギャザーＢＳの先端まで延在させた上で、立体ギャザーＢＳ部分において第２バックシート５の肌当接面及び非肌当接面の両方又は肌当接面のみに、肌当たりを良くすることなどを目的として不織布を積層状態で接合するようにしてもよい。
【符号の説明】
【００５４】
１…インナーパッド、２…吸収体、３…トップシート、４…第１バックシート、５…第２バックシート、６…粘着剤層、７…糸状弾性伸縮部材、８…簡易取り外し式接合手段、３０…アウター、ＢＳ…立体ギャザー、ＨＳ…平面ギャザー
【図１】
0006550310.tif 000002
【図２】
0006550310.tif 000003
【図３】
0006550310.tif 000004
【図４】
0006550310.tif 000005
【図５】
0006550310.tif 000006
【図６】
0006550310.tif 000007
【図７】
0006550310.tif 000008
【図８】
0006550310.tif 000009
【図９】
0006550310.tif 000010
【図１０】
0006550310.tif 000011
【図１１】
0006550310.tif 000012
【図１２】
0006550310.tif 000013